(57)【要約】【課題】本発明は自動清潔できる筆を開示した。【解決手段】制御ブロックを前へスライドさせ、リールと、中間軸とによって動力歯車と下歯車と、上歯車とを連動させて同時に噛み合わせ、モーターを始動して逆方向に回転させ、動力歯車が下歯車を逆転連動させて引き線によって封閉ブロックを引き上げて復帰させ、リードスクリューが下へ運動して伸び出し、定位棒が撥条によって復帰し、歯止めと下歯車とが噛み合って撥条を復帰させない。【選択図】図１
2020172096.tif 000002
【特許請求の範囲】
【請求項１】
自動清潔できる筆であって、上筆管及び下筆管を含み、その特徴は：前記上筆管は円柱形結構であり、前記下筆管は方形結構であり、前記下筆管の中には水洗装置が設置されており、前記水洗装置は前記下筆管の中に設置され且つ下に開口した水洗チャンバを含み、前記水洗チャンバの内壁には蛇口に連通する水入り弁及び排水する排水弁が設置されており、前記水洗チャンバの中にはゴムスライダがスライドできるように設置されており、前記ゴムスライダの下端面には筆先が固定的に設置されており、前記水洗チャンバの中には封閉装置が設置されており、前記封閉装置の中にはヒンジ軸と、封閉ブロックと、引き線とが設置されており、前記引き線と前記封閉ブロックとが固定的に連結され、前記封閉ブロックが前記ヒンジ軸にヒンジで連結され、前記上筆管の中には動力チャンバが設置されており、前記動力チャンバの中には駆動装置が設置されており、前記駆動装置と前記水洗装置と、前記封閉装置との間が伝動できるように連結され、それにより前記駆動装置によって前記水洗装置と前記封閉装置に動力を提供させ、前記駆動装置の中には下歯車と上歯車と動力歯車とが設置されており、前記動力歯車を手動で制御して前記上歯車と噛合させ、又は前記上歯車と、前記下歯車と同時に噛み合わせ、これにより前記水洗装置だけを駆動し、又は前記水洗装置及び前記封閉装置を同時に駆動することができることを特徴とする自動清潔できる筆。
【請求項２】
前記水洗装置は前記水洗チャンバの内壁に回転できるように設置されるネジ山ブロックを含み、前記ネジ山ブロックの中にはリードスクリューがネジ山により係合され、前記動力チャンバの中には前記ネジ山ブロックの上端面と固定的に連結される空心回転軸が設置されており、前記空心回転軸の上端には副プーリが固定的に設置されており、前記副プーリの中には上下に貫通した穴が設置されており、前記リードスクリューの下端と前記ゴムスライダの上端面とが固定的に連結され、それにより水洗する時前記筆先を前記水洗チャンバの中に収縮して水洗することを特徴とする請求項１に記載の自動清潔できる筆。
【請求項３】
前記封閉装置は前記水洗チャンバの左右壁に左右に対称的に設置される収納槽を含み、前記下筆管の中には前記収納槽と前記動力チャンバとを連通する線槽が設置されており、前記ヒンジ軸は前記収納槽の前後壁の間に回転できるように設置されており、前記ヒンジ軸にはねじりバネが固定的に設置されており、前記ねじりバネの前端と前記収納槽の前壁とが連結され、前記引き線が前記線槽によって前記動力チャンバの中まで伸びており、前記動力チャンバの後壁には下伝動軸が回転できるように設置されており、前記下伝動軸にはリールが固定的に設置されており、前記引き線は前記リールに巻き付けられ、それにより前記筆先が前記水洗チャンバの中に収納される時、前記封閉ブロックが回転して当接し合って前記水洗チャンバを封閉することを特徴とする請求項１に記載の自動清潔できる筆。
【請求項４】
前記駆動装置は前記動力チャンバの後壁に回転できるように設置される伝動軸を含み、前記上歯車が前記上伝動軸に固定的に連結され、前記上伝動軸には主プーリが固定的に設置されており、前記主プーリと前記副プーリとがベルトによって伝動し、前記動力チャンバの後壁にはモーターが固定的に設置されており、前記モーターの前端には動力軸が伝動できるように連結され、前記動力軸の前側には中間軸がスプラインにより連結され、前記動力チャンバの内壁の中には左右に貫通した抜き穴が設置されており、前記抜き穴の底壁にはレールが設置されており、前記レールの中には制御ブロックが設置されており、前記制御ブロックの右端面には連結棒が固定的に設置されており、前記連結棒と前記中間軸とが回転できるように連結され、前記中間軸の前端には前記動力歯車が回転できるように設置されており、前記下歯車が前記下伝動軸に固定的に連結され、前記動力チャンバの右壁にはスライド槽が設置されており、前記スライド槽の中にはスライド棒がスライドできるように設置されており、前記スライド棒の上端には固定ブロックが固定的に設置されており、前記固定ブロックには歯止めがヒンジで連結され、前記歯止めと前記下歯車とが噛み合い、前記固定ブロックの上端面と前記スライド槽の頂壁との間が撥条によって連結され、前記スライド棒の下端には定位棒が固定的に設置されており、それにより前記リードスクリューが上昇して前記定位棒を押さえるようになる時に前記歯止めと前記下歯車とを互いに離れさせることを特徴とする請求項１に記載の自動清潔できる筆。
【発明の詳細な説明】
【技術分野】
【０００１】
本発明は文具の技術分野を取り上げて、具体的には自動清潔できる筆である。
【背景技術】
【０００２】
伝統的な筆は一般的に手で洗い、過程がややこしく、時間も力も大変かかり、服が汚れやすく、市場の現有の筆清潔工具は一般的に筆入れの形であり、筆をその中に入れて清潔し、こういう清潔工具は携帯に不便であるだけじゃなく、自動化でもなく、上記欠点に対して、本装置を提出する。
【先行技術文献】
【特許文献】
【０００３】
【特許文献１】中国特許出願公開第107757183号明細書
【発明の概要】
【発明が解決しようとする課題】
【０００４】
上記技術の不足に狙って、本発明は自動清潔できる筆を提出し、上記欠点を克服できる。
【課題を解決するための手段】
【０００５】
本発明装置の自動清潔できる筆は、上筆管及び下筆管を含み、前記上筆管は円柱形結構であり、前記下筆管は方形結構であり、前記下筆管の中には水洗装置が設置されており、前記水洗装置は前記下筆管の中に設置され且つ下に開口した水洗チャンバを含み、前記水洗チャンバの内壁には蛇口に連通する水入り弁及び排水する排水弁が設置されており、前記水洗チャンバの中にはゴムスライダがスライドできるように設置されており、前記ゴムスライダの下端面には筆先が固定的に設置されており、前記水洗チャンバの中には封閉装置が設置されており、前記封閉装置の中にはヒンジ軸と、封閉ブロックと、引き線とが設置されており、前記引き線と前記封閉ブロックとが固定的に連結され、前記封閉ブロックが前記ヒンジ軸にヒンジで連結され、前記上筆管の中には動力チャンバが設置されており、前記動力チャンバの中には駆動装置が設置されており、前記駆動装置と前記水洗装置と、前記封閉装置との間が伝動できるように連結され、それにより前記駆動装置によって前記水洗装置と前記封閉装置に動力を提供させ、前記駆動装置の中には下歯車と上歯車と動力歯車とが設置されており、前記動力歯車を手動で制御して前記上歯車と噛合させ、又は前記上歯車と、前記下歯車と同時に噛み合わせ、これにより前記水洗装置だけを駆動し、又は前記水洗装置及び前記封閉装置を同時に駆動することができる。
【０００６】
更なる技術方案、前記水洗装置は前記水洗チャンバの内壁に回転できるように設置されるネジ山ブロックを含み、前記ネジ山ブロックの中にはリードスクリューがネジ山により係合され、前記動力チャンバの中には前記ネジ山ブロックの上端面と固定的に連結される空心回転軸が設置されており、前記空心回転軸の上端には副プーリが固定的に設置されており、前記副プーリの中には上下に貫通した穴が設置されており、前記リードスクリューの下端と前記ゴムスライダの上端面とが固定的に連結され、それにより水洗する時前記筆先を前記水洗チャンバの中に収縮して水洗する。
【０００７】
更なる技術方案、前記封閉装置は前記水洗チャンバの左右壁に左右に対称的に設置される収納槽を含み、前記下筆管の中には前記収納槽と前記動力チャンバとを連通する線槽が設置されており、前記ヒンジ軸は前記収納槽の前後壁の間に回転できるように設置されており、前記ヒンジ軸にはねじりバネが固定的に設置されており、前記ねじりバネの前端と前記収納槽の前壁とが連結され、前記引き線が前記線槽によって前記動力チャンバの中まで伸びており、前記動力チャンバの後壁には下伝動軸が回転できるように設置されており、前記下伝動軸にはリールが固定的に設置されており、前記引き線は前記リールに巻き付けられ、それにより前記筆先が前記水洗チャンバの中に収納される時、前記封閉ブロックが回転して当接し合って前記水洗チャンバを封閉する。
【０００８】
更なる技術方案、前記駆動装置は前記動力チャンバの後壁に回転できるように設置される伝動軸を含み、前記上歯車が前記上伝動軸に固定的に連結され、前記上伝動軸には主プーリが固定的に設置されており、前記主プーリと前記副プーリとがベルトによって伝動し、前記動力チャンバの後壁にはモーターが固定的に設置されており、前記モーターの前端には動力軸が伝動できるように連結され、前記動力軸の前側には中間軸がスプラインにより連結され、前記動力チャンバの内壁の中には左右に貫通した抜き穴が設置されており、前記抜き穴の底壁にはレールが設置されており、前記レールの中には制御ブロックが設置されており、前記制御ブロックの右端面には連結棒が固定的に設置されており、前記連結棒と前記中間軸とが回転できるように連結され、前記中間軸の前端には前記動力歯車が回転できるように設置されており、前記下歯車が前記下伝動軸に固定的に連結され、前記動力チャンバの右壁にはスライド槽が設置されており、前記スライド槽の中にはスライド棒がスライドできるように設置されており、前記スライド棒の上端には固定ブロックが固定的に設置されており、前記固定ブロックには歯止めがヒンジで連結され、前記歯止めと前記下歯車とが噛み合い、前記固定ブロックの上端面と前記スライド槽の頂壁との間が撥条によって連結され、前記スライド棒の下端には定位棒が固定的に設置されており、それにより前記リードスクリューが上昇して前記定位棒を押さえるようになる時に前記歯止めと前記下歯車とを互いに離れさせる。
【発明の効果】
【０００９】
本発明の有益な効果は下記の通りである：
【００１０】
本発明は結構が簡単で、使用が便利で、他の設備と合わせて使用する必要がなく、水洗する時、本発明の水入り弁を蛇口に装着すればよく、水洗する過程で筆先が自動に筆管の中に収縮して水洗を行い、便利快適で、同時に水洗する過程で汚水が飛び出すのを避け、水洗が終わった後、筆先が水洗チャンバの中に収縮しており、使用しないうちにぶつかって筆先に与える損害を防止できる。
【図面の簡単な説明】
【００１１】
以下は図１−８について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
【図１】図１は本発明の自動清潔できる筆の全体構成模式図であり；
【図２】図２は図１の正面断面構成模式図
【図３】図３は図１の後面図
【図４】図４は図２のＡ−Ａの構成模式図
【図５】図５は図２のＢ−Ｂの構成模式図
【図６】図６は図２のＣの構成模式図
【図７】図７は図２のＤの構成模式図
【図８】図８は図２のＥの構成模式図
【発明を実施するための形態】
【００１３】
以下は付図説明と実施例を合わせて本発明に更なる説明し。本発明の方式は下記実施例を含みでも限らない。
【００１４】
図１−８に示されるように、本発明装置の自動清潔できる筆は、上筆管１０及び下筆管１１を含み、前記上筆管１０は円柱形結構であり、前記下筆管１１は方形結構であり、前記下筆管１１の中には水洗装置１００が設置されており、前記水洗装置１００は前記下筆管１１の中に設置され且つ下に開口した水洗チャンバ２２を含み、前記水洗チャンバ２２の内壁には蛇口に連通する水入り弁及び排水する排水弁２３が設置されており、前記水洗チャンバ２２の中にはゴムスライダ２５がスライドできるように設置されており、前記ゴムスライダ２５の下端面には筆先１３が固定的に設置されており、前記水洗チャンバ２２の中には封閉装置２００が設置されており、前記封閉装置２００の中にはヒンジ軸５０と、封閉ブロック３６と、引き線３５とが設置されており、前記引き線３５と前記封閉ブロック３６とが固定的に連結され、前記封閉ブロック３６が前記ヒンジ軸５０にヒンジで連結され、前記上筆管１０の中には動力チャンバ１５が設置されており、前記動力チャンバ１５の中には駆動装置３００が設置されており、前記駆動装置３００と前記水洗装置１００と、前記封閉装置２００との間が伝動できるように連結され、それにより前記駆動装置３００によって前記水洗装置１００と前記封閉装置２００に動力を提供させ、前記駆動装置３００の中には下歯車２０と上歯車１６と動力歯車１８とが設置されており、前記動力歯車１８を手動で制御して前記上歯車１６と噛合させ、又は前記上歯車１６と、前記下歯車２０と同時に噛み合わせ、これにより前記水洗装置１００だけを駆動し、又は前記水洗装置１００及び前記封閉装置２００を同時に駆動することができる。
【００１５】
有益なように、前記水洗装置１００は前記水洗チャンバ２２の内壁に回転できるように設置されるネジ山ブロック４６を含み、前記ネジ山ブロック４６の中にはリードスクリュー２４がネジ山により係合され、前記動力チャンバ１５の中には前記ネジ山ブロック４６の上端面と固定的に連結される空心回転軸４５が設置されており、前記空心回転軸４５の上端には副プーリ４４が固定的に設置されており、前記副プーリ４４の中には上下に貫通した穴が設置されており、前記リードスクリュー２４の下端と前記ゴムスライダ２５の上端面とが固定的に連結され、それにより水洗する時前記筆先１３を前記水洗チャンバ２２の中に収縮して水洗する。
【００１６】
有益なように、前記封閉装置２００は前記水洗チャンバ２２の左右壁に左右に対称的に設置される収納槽３７を含み、前記下筆管１１の中には前記収納槽３７と前記動力チャンバ１５とを連通する線槽３４が設置されており、前記ヒンジ軸５０は前記収納槽３７の前後壁の間に回転できるように設置されており、前記ヒンジ軸５０にはねじりバネ４７が固定的に設置されており、前記ねじりバネ４７の前端と前記収納槽３７の前壁とが連結され、前記引き線３５が前記線槽３４によって前記動力チャンバ１５の中まで伸びており、前記動力チャンバ１５の後壁には下伝動軸１９が回転できるように設置されており、前記下伝動軸１９にはリール２１が固定的に設置されており、前記引き線３５は前記リール２１に巻き付けられ、それにより前記筆先１３が前記水洗チャンバ２２の中に収納される時、前記封閉ブロック３６が回転して当接し合って前記水洗チャンバ２２を封閉する。
【００１７】
有益なように、前記駆動装置３００は前記動力チャンバ１５の後壁に回転できるように設置される伝動軸１４を含み、前記上歯車１６が前記上伝動軸１４に固定的に連結され、前記上伝動軸１４には主プーリ２７が固定的に設置されており、前記主プーリ２７と前記副プーリ４４とがベルト２８によって伝動し、前記動力チャンバ１５の後壁にはモーター３２が固定的に設置されており、前記モーター３２の前端には動力軸３３が伝動できるように連結され、前記動力軸３３の前側には中間軸２６がスプラインにより連結され、前記動力チャンバ１５の内壁の中には左右に貫通した抜き穴２９が設置されており、前記抜き穴２９の底壁にはレール３０が設置されており、前記レール３０の中には制御ブロック１７が設置されており、前記制御ブロック１７の右端面には連結棒３１が固定的に設置されており、前記連結棒３１と前記中間軸２６とが回転できるように連結され、前記中間軸２６の前端には前記動力歯車１８が回転できるように設置されており、前記下歯車２０が前記下伝動軸１９に固定的に連結され、前記動力チャンバ１５の右壁にはスライド槽４２が設置されており、前記スライド槽４２の中にはスライド棒４１がスライドできるように設置されており、前記スライド棒４１の上端には固定ブロック３９が固定的に設置されており、前記固定ブロック３９には歯止め３８がヒンジで連結され、前記歯止め３８と前記下歯車２０とが噛み合い、前記固定ブロック３９の上端面と前記スライド槽４２の頂壁との間が撥条４３によって連結され、前記スライド棒４１の下端には定位棒４０が固定的に設置されており、それにより前記リードスクリュー２４が上昇して前記定位棒を押さえるようになる時に前記歯止め３８と前記下歯車２０とを互いに離れさせる。
【００１８】
前記自動清潔できる筆の実現方法は、以下順序を含み：
【００１９】
洗浄を始める時、動力歯車１８は上歯車１６とが噛み合い、且つ下歯車２０と噛み合っていなく、ねじりバネ４７が力を蓄えている状態であり、モーター３２を始動し、動力軸３３と、中間軸２６とによって動力歯車１８を回転連動させ、動力歯車１８が上歯車１６を回転連動させ、上歯車１６は上伝動軸１４と、主プーリ２７と、ベルト２８と、副プーリ４４と、空心回転軸４５とによってネジ山ブロック４６を回転連動させ、ネジ山ブロック４６が回転してリードスクリュー２４を上昇させ、リードスクリュー２４が上昇して定位棒４０を押さえるようになる時、定位棒４０が上へ運動してスライド棒４１と、固定ブロック３９とによって歯止め３８と下歯車２０とを遠離させ、ねじりバネ４７が戻してヒンジ軸５０によって封閉ブロック３６を回転連動させ、左右の封閉ブロック３６が当接して水洗チャンバ２２を封閉し、モーター３２が停止し、この時水入り弁１２を蛇口に取り付けて蛇口を開け、水は水入り弁を通じて水洗チャンバ２２に入って筆先を水洗し、また排水弁２３から排出され、水洗が終わったら蛇口から水入り弁１２を取り外せばいい；
【００２０】
使用する時、制御ブロック１７を前へスライドさせ、リール２１と、中間軸２６とによって動力歯車１８と下歯車２０と、上歯車１６とを連動させて同時に噛み合わせ、モーター３２を始動して逆方向に回転させ、動力歯車１８が下歯車２０を逆転連動させて引き線３５によって封閉ブロック３６を引き上げて復帰させ、リードスクリュー２４が下へ運動して伸び出し、定位棒４０が撥条４３によって復帰し、歯止め３８と下歯車２０とが噛み合って撥条４７を復帰させない。
【００２１】
以上により、本発明は結構が簡単で、使用が便利で、他の設備と合わせて使用する必要がなく、水洗する時、本発明の水入り弁を蛇口に装着すればよく、水洗する過程で筆先が自動に筆管の中に収縮して水洗を行い、便利快適で、同時に水洗する過程で汚水が飛び出すのを避け、水洗が終わった後、筆先が水洗チャンバの中に収縮しており、使用しないうちにぶつかって筆先に与える損害を防止できる。
【００２２】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020172096.tif 000003
【図２】
2020172096.tif 000004
【図３】
2020172096.tif 000005
【図４】
2020172096.tif 000006
【図５】
2020172096.tif 000007
【図６】
2020172096.tif 000008
【図７】
2020172096.tif 000009
【図８】
2020172096.tif 000010
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
自動清潔できる筆であって、上筆管及び下筆管を含み、その特徴は：前記上筆管は円柱形結構であり、前記下筆管は方形結構であり、前記下筆管の中には水洗装置が設置されており、前記水洗装置は前記下筆管の中に設置され且つ下に開口した水洗チャンバを含み、前記水洗チャンバの内壁には蛇口に連通する水入り弁及び排水する排水弁が設置されており、前記水洗チャンバの中にはゴムスライダがスライドできるように設置されており、前記ゴムスライダの下端面には筆先が固定的に設置されており、前記水洗チャンバの中には封閉装置が設置されており、前記封閉装置の中にはヒンジ軸と、封閉ブロックと、引き線とが設置されており、前記引き線と前記封閉ブロックとが固定的に連結され、前記封閉ブロックが前記ヒンジ軸にヒンジで連結され、前記上筆管の中には動力チャンバが設置されており、前記動力チャンバの中には駆動装置が設置されており、前記駆動装置と前記水洗装置と、前記封閉装置との間が伝動できるように連結され、それにより前記駆動装置によって前記水洗装置と前記封閉装置に動力を提供させ、前記駆動装置の中には下歯車と上歯車と動力歯車とが設置され、
前記水洗装置は前記水洗チャンバの内壁に回転できるように設置されるネジ山ブロックを含み、前記ネジ山ブロックの中にはリードスクリューがネジ山により係合され、前記動力チャンバの中には前記ネジ山ブロックの上端面と固定的に連結される空心回転軸が設置されており、前記空心回転軸の上端には副プーリが固定的に設置されており、前記副プーリの中には上下に貫通した穴が設置されており、前記リードスクリューの下端と前記ゴムスライダの上端面とが固定的に連結され、それにより水洗する時前記筆先を前記水洗チャンバの中に収縮して水洗し、
前記封閉装置は前記水洗チャンバの左右壁に左右に対称的に設置される収納槽を含み、前記下筆管の中には前記収納槽と前記動力チャンバとを連通する線槽が設置されており、前記ヒンジ軸は前記収納槽の前後壁の間に回転できるように設置されており、前記ヒンジ軸にはねじりバネが固定的に設置されており、前記ねじりバネの前端と前記収納槽の前壁とが連結され、前記引き線が前記線槽によって前記動力チャンバの中まで伸びており、前記動力チャンバの後壁には下伝動軸が回転できるように設置されており、前記下伝動軸にはリールが固定的に設置されており、前記引き線は前記リールに巻き付けられ、それにより前記筆先が前記水洗チャンバの中に収納される時、前記封閉ブロックが回転して当接し合って前記水洗チャンバを封閉することを特徴とする自動清潔できる筆。
【請求項２】
前記駆動装置は前記動力チャンバの後壁に回転できるように設置される上伝動軸を含み、前記上歯車が前記上伝動軸に固定的に連結され、前記上伝動軸には主プーリが固定的に設置されており、前記主プーリと前記副プーリとがベルトによって伝動し、前記動力チャンバの後壁にはモーターが固定的に設置されており、前記モーターの前端には動力軸が伝動できるように連結され、前記動力軸の前側には中間軸がスプラインにより連結され、前記動力チャンバの内壁の中には左右に貫通した抜き穴が設置されており、前記抜き穴の底壁にはレールが設置されており、前記レールの中には制御ブロックが設置されており、前記制御ブロックの右端面には連結棒が固定的に設置されており、前記連結棒と前記中間軸とが回転できるように連結され、前記中間軸の前端には前記動力歯車が回転できるように設置されており、前記下歯車が前記下伝動軸に固定的に連結され、前記動力チャンバの右壁にはスライド槽が設置されており、前記スライド槽の中にはスライド棒がスライドできるように設置されており、前記スライド棒の上端には固定ブロックが固定的に設置されており、前記固定ブロックには歯止めがヒンジで連結され、前記歯止めと前記下歯車とが噛み合い、前記固定ブロックの上端面と前記スライド槽の頂壁との間が撥条によって連結され、前記スライド棒の下端には定位棒が固定的に設置されており、それにより前記リードスクリューが上昇して前記定位棒を押さえるようになる時に前記歯止めと前記下歯車とを互いに離れさせることを特徴とする請求項１に記載の自動清潔できる筆。
【手続補正２】
【補正対象書類名】明細書
【補正対象項目名】全文
【補正方法】変更
【補正の内容】
【発明の詳細な説明】
【技術分野】
【０００１】
本発明は文具の技術分野を取り上げて、具体的には自動清潔できる筆である。
【背景技術】
【０００２】
伝統的な筆は一般的に手で洗い、過程がややこしく、時間も力も大変かかり、服が汚れやすく、市場の現有の筆清潔工具は一般的に筆入れの形であり、筆をその中に入れて清潔し、こういう清潔工具は携帯に不便であるだけじゃなく、自動化でもなく、上記欠点に対して、本装置を提出する。
【先行技術文献】
【特許文献】
【０００３】
【特許文献１】中国特許出願公開第１０７７５７１８３号明細書
【発明の概要】
【発明が解決しようとする課題】
【０００４】
上記技術の不足に狙って、本発明は自動清潔できる筆を提出し、上記欠点を克服できる。
【課題を解決するための手段】
【０００５】
本発明装置の自動清潔できる筆は、上筆管及び下筆管を含み、前記上筆管は円柱形結構であり、前記下筆管は方形結構であり、前記下筆管の中には水洗装置が設置されており、前記水洗装置は前記下筆管の中に設置され且つ下に開口した水洗チャンバを含み、前記水洗チャンバの内壁には蛇口に連通する水入り弁及び排水する排水弁が設置されており、前記水洗チャンバの中にはゴムスライダがスライドできるように設置されており、前記ゴムスライダの下端面には筆先が固定的に設置されており、前記水洗チャンバの中には封閉装置が設置されており、前記封閉装置の中にはヒンジ軸と、封閉ブロックと、引き線とが設置されており、前記引き線と前記封閉ブロックとが固定的に連結され、前記封閉ブロックが前記ヒンジ軸にヒンジで連結され、前記上筆管の中には動力チャンバが設置されており、前記動力チャンバの中には駆動装置が設置されており、前記駆動装置と前記水洗装置と、前記封閉装置との間が伝動できるように連結され、それにより前記駆動装置によって前記水洗装置と前記封閉装置に動力を提供させ、前記駆動装置の中には下歯車と上歯車と動力歯車とが設置されている。
【０００６】
更なる技術方案、前記水洗装置は前記水洗チャンバの内壁に回転できるように設置されるネジ山ブロックを含み、前記ネジ山ブロックの中にはリードスクリューがネジ山により係合され、前記動力チャンバの中には前記ネジ山ブロックの上端面と固定的に連結される空心回転軸が設置されており、前記空心回転軸の上端には副プーリが固定的に設置されており、前記副プーリの中には上下に貫通した穴が設置されており、前記リードスクリューの下端と前記ゴムスライダの上端面とが固定的に連結され、それにより水洗する時前記筆先を前記水洗チャンバの中に収縮して水洗する。
【０００７】
更なる技術方案、前記封閉装置は前記水洗チャンバの左右壁に左右に対称的に設置される収納槽を含み、前記下筆管の中には前記収納槽と前記動力チャンバとを連通する線槽が設置されており、前記ヒンジ軸は前記収納槽の前後壁の間に回転できるように設置されており、前記ヒンジ軸にはねじりバネが固定的に設置されており、前記ねじりバネの前端と前記収納槽の前壁とが連結され、前記引き線が前記線槽によって前記動力チャンバの中まで伸びており、前記動力チャンバの後壁には下伝動軸が回転できるように設置されており、前記下伝動軸にはリールが固定的に設置されており、前記引き線は前記リールに巻き付けられ、それにより前記筆先が前記水洗チャンバの中に収納される時、前記封閉ブロックが回転して当接し合って前記水洗チャンバを封閉する。
【０００８】
更なる技術方案、前記駆動装置は前記動力チャンバの後壁に回転できるように設置される上伝動軸を含み、前記上歯車が前記上伝動軸に固定的に連結され、前記上伝動軸には主プーリが固定的に設置されており、前記主プーリと前記副プーリとがベルトによって伝動し、前記動力チャンバの後壁にはモーターが固定的に設置されており、前記モーターの前端には動力軸が伝動できるように連結され、前記動力軸の前側には中間軸がスプラインにより連結され、前記動力チャンバの内壁の中には左右に貫通した抜き穴が設置されており、前記抜き穴の底壁にはレールが設置されており、前記レールの中には制御ブロックが設置されており、前記制御ブロックの右端面には連結棒が固定的に設置されており、前記連結棒と前記中間軸とが回転できるように連結され、前記中間軸の前端には前記動力歯車が回転できるように設置されており、前記下歯車が前記下伝動軸に固定的に連結され、前記動力チャンバの右壁にはスライド槽が設置されており、前記スライド槽の中にはスライド棒がスライドできるように設置されており、前記スライド棒の上端には固定ブロックが固定的に設置されており、前記固定ブロックには歯止めがヒンジで連結され、前記歯止めと前記下歯車とが噛み合い、前記固定ブロックの上端面と前記スライド槽の頂壁との間が撥条によって連結され、前記スライド棒の下端には定位棒が固定的に設置されており、それにより前記リードスクリューが上昇して前記定位棒を押さえるようになる時に前記歯止めと前記下歯車とを互いに離れさせる。
【発明の効果】
【０００９】
本発明の有益な効果は下記の通りである：
【００１０】
本発明は結構が簡単で、使用が便利で、他の設備と合わせて使用する必要がなく、水洗する時、本発明の水入り弁を蛇口に装着すればよく、水洗する過程で筆先が自動に筆管の中に収縮して水洗を行い、便利快適で、同時に水洗する過程で汚水が飛び出すのを避け、水洗が終わった後、筆先が水洗チャンバの中に収縮しており、使用しないうちにぶつかって筆先に与える損害を防止できる。
【図面の簡単な説明】
【００１１】
以下は図１−８について本発明にを詳しく説明し、その中、便利に叙述するように、現在は後文に出る方位を下記の通りに規定する：後文に出る上下左右前後方向は図１本体の投影関係の上下左右前後方向と一致する。
【００１２】
【図１】図１は本発明の自動清潔できる筆の全体構成模式図であり；
【図２】図２は図１の正面断面構成模式図
【図３】図３は図１の後面図
【図４】図４は図２のＡ−Ａの構成模式図
【図５】図５は図２のＢ−Ｂの構成模式図
【図６】図６は図２のＣの構成模式図
【図７】図７は図２のＤの構成模式図
【図８】図８は図２のＥの構成模式図
【発明を実施するための形態】
【００１３】
以下は付図説明と実施例を合わせて本発明に更なる説明し。本発明の方式は下記実施例を含みでも限らない。
【００１４】
図１−８に示されるように、本発明装置の自動清潔できる筆は、上筆管１０及び下筆管１１を含み、前記上筆管１０は円柱形結構であり、前記下筆管１１は方形結構であり、前記下筆管１１の中には水洗装置１００が設置されており、前記水洗装置１００は前記下筆管１１の中に設置され且つ下に開口した水洗チャンバ２２を含み、前記水洗チャンバ２２の内壁には蛇口に連通する水入り弁及び排水する排水弁２３が設置されており、前記水洗チャンバ２２の中にはゴムスライダ２５がスライドできるように設置されており、前記ゴムスライダ２５の下端面には筆先１３が固定的に設置されており、前記水洗チャンバ２２の中には封閉装置２００が設置されており、前記封閉装置２００の中にはヒンジ軸５０と、封閉ブロック３６と、引き線３５とが設置されており、前記引き線３５と前記封閉ブロック３６とが固定的に連結され、前記封閉ブロック３６が前記ヒンジ軸５０にヒンジで連結され、前記上筆管１０の中には動力チャンバ１５が設置されており、前記動力チャンバ１５の中には駆動装置３００が設置されており、前記駆動装置３００と前記水洗装置１００と、前記封閉装置２００との間が伝動できるように連結され、それにより前記駆動装置３００によって前記水洗装置１００と前記封閉装置２００に動力を提供させ、前記駆動装置３００の中には下歯車２０と上歯車１６と動力歯車１８とが設置されている。
【００１５】
有益なように、前記水洗装置１００は前記水洗チャンバ２２の内壁に回転できるように設置されるネジ山ブロック４６を含み、前記ネジ山ブロック４６の中にはリードスクリュー２４がネジ山により係合され、前記動力チャンバ１５の中には前記ネジ山ブロック４６の上端面と固定的に連結される空心回転軸４５が設置されており、前記空心回転軸４５の上端には副プーリ４４が固定的に設置されており、前記副プーリ４４の中には上下に貫通した穴が設置されており、前記リードスクリュー２４の下端と前記ゴムスライダ２５の上端面とが固定的に連結され、それにより水洗する時前記筆先１３を前記水洗チャンバ２２の中に収縮して水洗する。
【００１６】
有益なように、前記封閉装置２００は前記水洗チャンバ２２の左右壁に左右に対称的に設置される収納槽３７を含み、前記下筆管１１の中には前記収納槽３７と前記動力チャンバ１５とを連通する線槽３４が設置されており、前記ヒンジ軸５０は前記収納槽３７の前後壁の間に回転できるように設置されており、前記ヒンジ軸５０にはねじりバネ４７が固定的に設置されており、前記ねじりバネ４７の前端と前記収納槽３７の前壁とが連結され、前記引き線３５が前記線槽３４によって前記動力チャンバ１５の中まで伸びており、前記動力チャンバ１５の後壁には下伝動軸１９が回転できるように設置されており、前記下伝動軸１９にはリール２１が固定的に設置されており、前記引き線３５は前記リール２１に巻き付けられ、それにより前記筆先１３が前記水洗チャンバ２２の中に収納される時、前記封閉ブロック３６が回転して当接し合って前記水洗チャンバ２２を封閉する。
【００１７】
有益なように、前記駆動装置３００は前記動力チャンバ１５の後壁に回転できるように設置される上伝動軸１４を含み、前記上歯車１６が前記上伝動軸１４に固定的に連結され、前記上伝動軸１４には主プーリ２７が固定的に設置されており、前記主プーリ２７と前記副プーリ４４とがベルト２８によって伝動し、前記動力チャンバ１５の後壁にはモーター３２が固定的に設置されており、前記モーター３２の前端には動力軸３３が伝動できるように連結され、前記動力軸３３の前側には中間軸２６がスプラインにより連結され、前記動力チャンバ１５の内壁の中には左右に貫通した抜き穴２９が設置されており、前記抜き穴２９の底壁にはレール３０が設置されており、前記レール３０の中には制御ブロック１７が設置されており、前記制御ブロック１７の右端面には連結棒３１が固定的に設置されており、前記連結棒３１と前記中間軸２６とが回転できるように連結され、前記中間軸２６の前端には前記動力歯車１８が回転できるように設置されており、前記下歯車２０が前記下伝動軸１９に固定的に連結され、前記動力チャンバ１５の右壁にはスライド槽４２が設置されており、前記スライド槽４２の中にはスライド棒４１がスライドできるように設置されており、前記スライド棒４１の上端には固定ブロック３９が固定的に設置されており、前記固定ブロック３９には歯止め３８がヒンジで連結され、前記歯止め３８と前記下歯車２０とが噛み合い、前記固定ブロック３９の上端面と前記スライド槽４２の頂壁との間が撥条４３によって連結され、前記スライド棒４１の下端には定位棒４０が固定的に設置されており、それにより前記リードスクリュー２４が上昇して前記定位棒を押さえるようになる時に前記歯止め３８と前記下歯車２０とを互いに離れさせる。
【００１８】
前記自動清潔できる筆の実現方法は、以下順序を含み：
【００１９】
洗浄を始める時、動力歯車１８は上歯車１６とが噛み合い、且つ下歯車２０と噛み合っていなく、ねじりバネ４７が力を蓄えている状態であり、モーター３２を始動し、動力軸３３と、中間軸２６とによって動力歯車１８を回転連動させ、動力歯車１８が上歯車１６を回転連動させ、上歯車１６は上伝動軸１４と、主プーリ２７と、ベルト２８と、副プーリ４４と、空心回転軸４５とによってネジ山ブロック４６を回転連動させ、ネジ山ブロック４６が回転してリードスクリュー２４を上昇させ、リードスクリュー２４が上昇して定位棒４０を押さえるようになる時、定位棒４０が上へ運動してスライド棒４１と、固定ブロック３９とによって歯止め３８と下歯車２０とを遠離させ、ねじりバネ４７が戻してヒンジ軸５０によって封閉ブロック３６を回転連動させ、左右の封閉ブロック３６が当接して水洗チャンバ２２を封閉し、モーター３２が停止し、この時水入り弁１２を蛇口に取り付けて蛇口を開け、水は水入り弁を通じて水洗チャンバ２２に入って筆先を水洗し、また排水弁２３から排出され、水洗が終わったら蛇口から水入り弁１２を取り外せばいい；
【００２０】
使用する時、制御ブロック１７を前へスライドさせ、リール２１と、中間軸２６とによって動力歯車１８と下歯車２０と、上歯車１６とを連動させて同時に噛み合わせ、モーター３２を始動して逆方向に回転させ、動力歯車１８が下歯車２０を逆転連動させて引き線３５によって封閉ブロック３６を引き上げて復帰させ、リードスクリュー２４が下へ運動して伸び出し、定位棒４０が撥条４３によって復帰し、歯止め３８と下歯車２０とが噛み合って撥条４７を復帰させない。
【００２１】
以上により、本発明は結構が簡単で、使用が便利で、他の設備と合わせて使用する必要がなく、水洗する時、本発明の水入り弁を蛇口に装着すればよく、水洗する過程で筆先が自動に筆管の中に収縮して水洗を行い、便利快適で、同時に水洗する過程で汚水が飛び出すのを避け、水洗が終わった後、筆先が水洗チャンバの中に収縮しており、使用しないうちにぶつかって筆先に与える損害を防止できる。
【００２２】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。